(57)【特許請求の範囲】
【請求項１】
排出される複数の用紙を紙揃えする紙揃え手段と、この紙揃え手段により紙揃えされた複数の用紙を留め部品で留める用紙留め器具と、この用紙留め器具で留められた用紙を積載する用紙収容部とを備えた用紙排出装置において、
前記留め部品で留められた用紙の用紙収容部への排出位置をシフトする排出位置シフト手段を設け、この排出位置シフト手段は、左右紙揃え位置から紙落下位置への移動によって用紙を用紙排出方向と反対方向に飛ばしながら用紙収容部内に落下させる一対のガイドウイングと、この落下する用紙に干渉して排出位置をシフトする後端揃え部材とから構成したことを特徴とする用紙排出装置。
【請求項２】
請求項１記載の用紙排出装置であって、
前記紙揃え手段は、前記一対のガイドウイングと、前記後端揃え部材と、この後端揃え部材の用紙排出方向に備えられた前端面フェンスとから構成され、前記前端面フェンスは、前記用紙の前端面を規制する規制位置と前記用紙収容部内を解放する解放位置との間で移動自在に設けられたことを特徴とする用紙排出装置。
【請求項３】
請求項２記載の用紙排出装置であって、
前記前端面フェンスが解放位置に位置されると、前記一対のガイドウイングを紙落下位置に移動させるようにしたことを特徴とする用紙排出装置。
【発明の詳細な説明】
【０００１】
【発明の属する技術分野】
本発明は、例えば丁合装置の排紙台の位置に設けられ、排出される複数の用紙を紙揃えした状態で針等で留めて用紙収容部に収容する用紙排出装置に関する。
【０００２】
【従来の技術】
この種の用紙排出装置は例えば丁合装置に適用され、図２７にその従来例が示されている。図２７に示すように、丁合装置１００とこの下方に配置された用紙排出装置１０１とが組み合わされている。丁合装置１００は、その上下方向に配列された複数の給紙台１０２ａ〜１０２ｊを有し、この各給紙台１０２ａ〜１０２ｊに多数積層された用紙１０３を所定タイミングで１枚ずつ給紙する給紙部１０２と、この給紙部１０２より給紙された複数の用紙１０３を上下方向に搬送しつつ丁合して丁合物とする丁合搬送部１０４と、この丁合搬送部１０４で搬送された丁合物を内部排出側と下方の外部排出側とに選択的に排出できる排紙部１０５と、この排紙部１０５で内部排出側より排出された用紙１０３を載置する排紙台１０６とを備えている。
【０００３】
用紙排出装置１０１は、排紙部１０５で外部排出側より排出された用紙１０３を搬送する図示しない用紙搬送手段と、この搬送途中位置で複数の用紙１０３の左右方向及び前後方向を紙揃えする図示しない紙揃え手段と、この紙揃え手段で紙揃えされた複数の用紙１０３に針留めする図示しないステープラと、針留めされた複数の用紙１０３が用紙搬送手段で更に搬送される最下流位置に配置された用紙収容部１０７とを備えている。
【０００４】
上記構成において、給紙台１０２ａ〜１０２ｊ上の各用紙１０３は上段から所定間隔の遅れをもって順次丁合搬送部１０４に給紙され、この給紙された各種の用紙１０３は、丁合搬送部１０４において搬送されつつ重ねられて丁合され、内部排出側の経路を介して排紙台１０６に、或いは、外部排出側の経路を介して用紙排出装置１０１に排出される。この用紙排出装置１０１に搬送された用紙１０３は、用紙搬送手段で紙揃え位置まで搬送され、ここで紙揃え手段によって紙揃えされた後にテープラで針留めされる。針留めされた用紙１０３は用紙搬送手段で再び下流に搬送されて用紙収容部１０７に収容される。以上より、紙揃えされ、且つ、針留めされた用紙（丁合物）１０３が自動的に得られる。
【０００５】
【発明が解決しようとする課題】
前記従来の用紙排出装置１０１では、針留めされた用紙（丁合物）１０３が用紙収容部１０７内の同じ位置に排出され積載されるため、揃える必要がなく取り扱い易い一方、図２８に示すように、用紙（丁合物）１０３の針１２０が同じ位置に重なる。そのため、図２９に示すように、積載が部分的に高くなる現象が発生し、本来予定していた積載量だけ積載できないという問題があった。また、用紙収容部から取り出した後も部分的に高くなっているため、崩れ易く却って取り扱い難くなる場合があった。
【０００６】
そこで、本発明は、前記した課題を解決すべくなされたものであり、留め部品で留められた用紙の積載量を本来の積載量に近づけることができ、且つ、用紙収容部内から取り出した後の取り扱いも良好な用紙排出装置を提供することを目的とする。
【０００７】
【課題を解決するための手段】
請求項１の発明は、排出される複数の用紙を紙揃えする紙揃え手段と、この紙揃え手段により紙揃えされた複数の用紙を留め部品で留める用紙留め器具と、この用紙留め器具で留められた用紙を積載する用紙収容部とを備えた用紙排出装置において、前記留め部品で留められた用紙の用紙収容部への排出位置をシフトする排出位置シフト手段を設け、この排出位置シフト手段は、左右紙揃え位置から紙落下位置への移動によって用紙を用紙排出方向と反対方向に飛ばしながら用紙収容部内に落下させる一対のガイドウイングと、この落下する用紙に干渉して排出位置をシフトする後端揃え部材とから構成したことを特徴とする。
【０００８】
この用紙排出装置では、積載された用紙の留め部品の位置が重ならないことから留め部品の位置で極端に積載高さが他の部分に比べて高くならず、また、用紙収容部内に積載される用紙の排出位置は同じではないがシフトした状態で積載される。さらに、排出位置シフト手段を紙揃え手段である一対のガイドウイングと後端揃え部材が兼用する。
【０００９】
請求項２の発明は、請求項１記載の用紙排出装置であって、前記紙揃え手段は、前記一対のガイドウイングと、前記後端揃え部材と、この後端揃え部材の用紙排出方向に備えられた前端面フェンスとから構成され、前記前端面フェンスは、前記用紙の前端面を規制する規制位置と前記用紙収容部内を解放する解放位置との間で移動自在に設けられたことを特徴とする。
【００１１】
請求項３の発明は、請求項２記載の用紙排出装置であって、前記前端面フェンスが解放位置に位置されると、前記一対のガイドウイングを紙落下位置に移動させるようにしたことを特徴とする。
【００１７】
【発明の実施の形態】
以下、本発明の一実施形態を図面に基づいて説明する。
【００１８】
図１〜図２６は本発明の一実施形態を示し、この実施形態では用紙排出装置を丁合装置の排紙台の位置に設けられた場合が示されている。図１は丁合装置とこの排紙台の位置に設けた用紙排出装置との斜視図、図２は図１の要部の拡大斜視図、図３は左右のガイドウイングが紙受け位置である用紙排出装置の斜視図、図４は左右のガイドウイングが左右紙揃え位置である用紙排出装置の斜視図、図５は後端揃え部材が前後紙揃え位置である用紙排出装置の斜視図、図６は左右のガイドウイングが紙落下位置、後端揃え部材が第１落下規制位置である用紙排出装置の斜視図、図７はガイドウイングの斜視図、図８（ａ）はウイング揺動機構を説明する概念図、図８（ｂ）はウイング揺動機構の側面図である。
【００１９】
図１に示すように、丁合装置１は、その上下方向に配列された複数の給紙台２ａ〜２ｆを有し、この各給紙台２ａ〜２ｆに多数積層された用紙３を所定タイミングで１枚ずつ給紙する給紙部２と、この給紙部２より給紙された複数の用紙３を上下方向に搬送しつつ丁合して丁合物とする丁合搬送部４と、この丁合搬送部４で搬送された用紙（丁合物）３を排出する排紙部５と、この排紙部５より排出された用紙３を載置する排紙台６とを備えている。排紙台６には図示しない左右一対のサイドフェンスと前端フェンス７とが設けられ、該左右一対のサイドフェンスが傾倒された状態で排紙台６上に用紙排出装置１０が装着されている。
【００２０】
図３〜図６に示すように、用紙排出装置１０は、排紙台６上に載置されたベースプレート１１と、このベースプレート１１の左右位置に平行に立設され、用紙排出方向Ｔに沿って配置された左右の固定フェンス１２とを有し、これらベースプレート１１及び左右の固定フェンス１２に支持されて紙揃え手段Ａが設けられている。この紙揃え手段Ａは排出される複数の用紙３を紙揃えするもので、左右一対のガイドウイング１３Ａ，１３Ｂと前後紙揃え手段２５とから構成されている。
【００２１】
また、排紙部５より排出される用紙３の落下位置で、且つ、用紙排出方向Ｔの直交方向Ｓの左右位置である左右の固定フェンス１２上には、左右一対のガイドウイング１３Ａ，１３Ｂが配置されている。この一対のガイドウイング１３Ａ，１３Ｂは、水平方向に配置された紙受け部１３ａと、この紙受け部１３ａの外側の側端より立設された紙揃え突起部１３ｂとから成り、排出される用紙３の下面を受けて用紙３を保持する紙受け位置（図３の位置）と、この紙受け位置で保持した用紙３を互いの間隔を狭くする方向に移動して左右方向の紙揃えをする左右紙揃え位置（図４の位置）と、この左右紙揃え位置で位置決めした用紙３を紙受け位置より互いの間隔を広くする方向に移動して落下させる紙落下位置（図６の位置）との間で一対のウイング揺動機構１４，１４によって変移される。一対のガイドウイング１３Ａ，１３Ｂの左右紙揃え位置等の各位置は、用紙３の横サイズによって適宜調整される。
【００２２】
図７及び図８に示すように、各ウイング揺動機構１４は、図示しない制御部によって駆動制御されるウイングモータ１５と、このウイングモータ１５の回転軸１５ａに固定されたカム板１６と、このカム板１６のカムピン１７に係合された揺動リンク部材１８と、この揺動リンク部材１８の一端が固定され、固定フェンス１２に回転自在に支持された第１支軸１９と、この第１支軸１９に間隔を置いて固定フェンス１２に支持された第２支軸２０と、第１支軸１９と第２支軸２０との各プーリ１９ａ，２０ａ間に掛けられたタイミングベルト２１と、第１支軸１９と第２支軸２０の各上端に一端側が固定され、他端側がガイドウイング１３Ａ，１３Ｂに支持ピン２２を介して回転自在に支持された一対のアーム部材２３，２３とから構成されている。カム板１６の回転中心に対して偏芯した位置にカムピン１７が設けられ、このカムピン１７の回転軌跡に応じて揺動リンク部材１８が揺動移動するようになっている。
【００２３】
そして、左右の各ウイングモータ１５が回転すると、カム板１６のカムピン１７の回転軌跡に沿って揺動リンク部材１８が揺動し、この揺動リンク部材１８の揺動によって一対のアーム部材２３，２３が同じく揺動し、これによってガイドウイング１３Ａ，１３Ｂが変移される。後述するステープラ３５に近い側のガイドウイング（右のガイドウイング）１３Ａは、図示しない位置検知手段からの位置情報によって図３の紙受け位置（左右紙揃え位置を兼用）と図６の紙落下位置との２ポジションで停止制御可能に構成されている。また、ステープラ３５に遠い側のガイドウイング（左のガイドウイング）１３Ｂは、図示しない位置検知手段からの位置情報によって図４の左右紙揃え位置と図３の紙受け位置と図６の紙落下位置との３ポジションで停止制御可能に構成されている。この実施形態では、右のガイドウイング１３Ａの紙受け位置と左右紙揃え位置とは同じ位置とされているため、右のガイドウイング１３Ａについては停止位置が２ポジションで足りる。
【００２４】
また、各ガイドウイング１３Ａ，１３Ｂの紙落下位置から紙受け位置（または紙受け位置から紙揃え位置）へのウイング飛び出し移動は、図８（ａ）の飛び出し区間に対応し、各ガイドウイング１３Ａ，１３Ｂの紙受け位置から紙落下位置（または紙揃え位置から紙落下位置）へのウイング戻り移動は、図８（ａ）のウイング戻り区間に対応するように構成されている。ウイング飛び出し区間の回転角度θ１に対してウイング戻り区間の回転角度θ２が小さくなるため、ウイングモータ１５が等速回転のモータであるが、ウイング飛び出し移動が低速で、ウイング戻り移動が高速とされている。
【００２５】
さらに、各ガイドウイング１３Ａ，１３Ｂの左右紙揃え位置と紙落下位置との間の移動は、上述したように回転移動であり、且つ、左右紙揃え位置から紙落下位置への回転方向が用紙排出方向Ｔと反対方向への移動を伴う方向Ｍとされている。
【００２６】
また、一対のガイドウイング１３Ａ，１３Ｂの左右紙揃え位置から紙落下位置への移動開始タイミングは、左右で若干シフトするように設定されている。つまり、一方が他方に対して遅れて移動開始される。尚、この移動開始タイミングのずれは、図１０のタイミングチャートには明示されていない。
【００２７】
図３〜図６に示すように、前後紙揃え手段２５は、排紙部５より排出される用紙３の前端面を規制する前端面フェンス２６と、用紙３の後端面を規制する後端揃え部材２７とから構成されている。前端面フェンス２６は、一方の固定フェンス１２に回転自在に支持され、用紙排出方向Ｔの直交方向Ｓに沿って配置される規制位置と後述する用紙収容部３７内を解放する解放位置との間で変移される。前端面フェンス２６は、規制位置にマグネット力を利用したフェンスロック部材２８でロックされ、また、規制位置から解放位置への変移が図示しないカバーオープンスイッチによって検知されるようになっている。後端揃え部材２７は、一対のガイドウイング１３Ａ，１３Ｂに保持された用紙３の後端面を前方に押圧する前後紙揃え位置（図５の位置）と、一対のガイドウイング１３Ａ，１３Ｂに保持された用紙３の後端面より離間した待機位置（図３及び図４の位置）と、前後紙揃え位置と待機位置との間で用紙３の前後方向の落下位置を規制する第１落下規制位置（図６の位置）と、同じく若干位置が異なるが用紙３の前後方向の落下位置を規制する第２落下規制位置との各位置に後端揃え部材揺動機構２９によって変移される。後端揃え部材２７が紙揃え位置と待機位置のみならず第１落下規制位置及び第２落下規制位置に停止制御されるように構成されているのは、排出位置シフト手段Ｂを兼用するためであり、排出位置シフト手段Ｂについては後述する。
【００２８】
後端揃え部材揺動機構２９は、図示しない制御部によって駆動制御される後端揃えモータ３０と、この後端揃えモータ３０の回転力が伝達され、ブラケット３１に回転自在に支持された支軸３２と、この支軸３２に一端側が固定され、他端側に後端揃え部材２７が立設された揺動アーム部材３３とから構成されている。
【００２９】
後端揃えモータ３０が回転すると、支軸３２の回転で揺動アーム部材３３が揺動し、この揺動アーム部材３３の揺動によって後端揃え部材２７が変移する。そして、図示しない位置検知手段からの位置情報によって図３及び図４の待機位置と図５の前後紙揃え位置と図６の第１落下規制位置と第２落下規制位置との４ポジションで停止制御可能に構成されている。また、後端揃え部材２７の前後紙揃え位置等の各位置は、用紙３の縦サイズによって適宜調整される。
【００３０】
用紙留め器具であるステープラ３５は、右側の固定フェンス１２に一体的に固定され、紙揃え位置に位置する用紙３の前方右端部分に留め部品である針３６を打つように設定されている。尚、ステープラ３５は図示しない制御部によって駆動制御される。
【００３１】
用紙収容部３７は、一対のガイドウイング１３Ａ，１３Ｂの下方位置、つまり、ベースプレート１１と一対の固定フェンス１２，１２とに囲まれたスペースにて構成されている。
【００３２】
また、用紙排出装置１０には、針留めされた用紙３の用紙収容部３７内への排出位置をシフトできる排出位置シフト手段Ｂが設けられている。この排出位置シフト手段Ｂは、左右紙揃え位置から紙落下位置への移動によって用紙３を用紙排出方向Ｔと反対方向に飛ばしながら用紙収容部３７内に落下させる一対のガイドウイング１３Ａ，１３Ｂと、この落下する用紙３に干渉して排出位置をシフトさせる後端揃え部材２７とから構成されている。つまり、この実施形態では、排出位置シフト手段Ｂを紙揃え手段Ａである一対のガイドウイング１３Ａ，１３Ｂと後端揃え部材２７が兼用している。
【００３３】
次に、丁合装置１及び用紙排出装置１０の動作を説明する。図９は紙揃え動作のフローチャート、図１０はタイミングチャートであり、図１１〜図２２は一対のガイドウイング１３Ａ，１３Ｂ及び後端揃え部材２７の一連動作を示す概略平面図である。
【００３４】
丁合装置１及び用紙排出装置１０が電源オンされると、図３に示すように、一対のガイドウイング１３Ａ，１３Ｂが紙受け位置、後端揃え部材２７が待機位置に位置される。そして、丁合装置１が駆動開始され、給紙台２ａ〜２ｆ上の各用紙３は上段から所定間隔の遅れをもって順次丁合搬送部４に給紙され、この給紙された各種の用紙３は、丁合搬送部４において搬送されつつ重ねられて丁合され、図１１に示すように、排紙部５を介して用紙排出装置１０に排出される。
【００３５】
用紙排出装置１０に排出された複数の重畳された用紙３は、図１２に示すように、一対のガイドウイング１３Ａ，１３Ｂ上に落下し、ここに載置される。この用紙３の排紙は、排紙センサが検知し（ステップＳ１）、この用紙３の排出有りの出力より所定時間経過後に、図１２にて矢印で示すように、左ガイドウイング１３Ｂが紙受け位置から紙揃え位置に移動される（ステップＳ２，Ｓ３、図４参照）。この左ガイドウイング１３Ｂの移動により、図１３に示すように、複数の重畳された用紙３に対し右ガイドウイング１３Ａに押圧する外力Ｆ１が作用し、用紙３の両側面が一対のガイドウイング１３Ａ，１３Ｂの紙揃え突起部１３ｂ間に挟持されることによって左右方向に紙揃えされる。
【００３６】
次に、図１４にて矢印で示すように、後端揃え部材２７が待機位置から前後紙揃え位置に移動される（ステップＳ４，Ｓ５、図５参照）。この後端揃え部材２７の移動により、図１５に示すように、複数の重畳された用紙３に対して前端面フェンス２６に押圧する外力Ｆ２が作用し、用紙３が前端面フェンス２６と後端揃え部材２７との間に挟持されることによって前後方向に紙揃えされる。
【００３７】
次に、ステープラ３５が駆動され、紙揃えされた複数の用紙３に針３６が打たれる（ステップＳ６）。針打ちが終わると、図１６に示すように、後端揃え部材２７が前後紙揃え位置から退避するが、用紙３が丁合装置１から排出された奇数番目のものであれば、図１７（ａ）に示すように、後端揃え部材２７が第１落下規制位置まで移動する（ステップＳ７，Ｓ８、図６参照）。また、用紙３が丁合装置１から排出された偶数番目のものであれば、図１７（ｂ）に示すように、後端揃え部材２７が第２落下規制位置まで移動する（ステップＳ７，Ｓ９）。
【００３８】
次に、図１８にて矢印で示すように、一対のガイドウイング１３Ａ，１３Ｂが左右紙揃え位置から紙落下位置まで移動する（ステップＳ１０）。すると、一対のガイドウイング１３Ａ，１３Ｂ上の用紙３が下方に落下し、用紙収容部３７に載置される。この用紙３の落下動作に際し、一対のガイドウイング１３Ａ，１３Ｂの回転移動により、図１９（ａ），図１９（ｂ）に示すように、用紙３を用紙排出方向Ｔの逆方向に押圧する外力Ｆ３が作用するため、用紙３が用紙排出方向Ｔの逆方向に飛びながら落下する。用紙排出方向Ｔの逆方向に飛びながら落下する用紙３は、後端揃え部材２７に衝突して落下するため、図２０（ａ）に示すように、奇数番目の用紙３が第１落下規制位置に、図２０（ｂ）に示すように、偶数番目の用紙３が第２落下規制位置に載置される。
【００３９】
次に、図２１にて矢印で示すように、一対のガイドウイング１３Ａ，１３Ｂが共に紙落下位置から紙受け位置に、後端揃え部材２７が第１又は第２落下規制位置から待機位置にそれぞれ移動され（ステップＳ１１，図２２参照）、丁合装置１からの次の用紙（丁合物）３の排出を待つ。そして、丁合装置１から用紙（丁合物）３が排出されると、上述した紙揃え動作を繰り返す。
【００４０】
図２３，図２４に示すように、用紙収容部３７には、針留めされた用紙３が１部ずつ交互に若干前後方向にシフトした状態で載置される。
【００４１】
次に、用紙収容部３７から積載された用紙３を取り出す動作を説明する。図２５は用紙取り出し動作のタイミングチャート、図２６（ａ）〜（ｃ）は一対のガイドウイング１３Ａ，１Ｂ及び後端揃え部材２７の一連動作を示す概略平面図である。
【００４２】
図２６（ａ）に示すように、前端面フェンス２６は規制位置に位置されている。この状態にあって、操作者が、図２６（ｂ）に示すように、前端面フェンス２６を規制位置から解放位置に移動すると、カバーオープンスイッチがこれを検知して左右のウイングモータ１５が駆動して一対のガイドウイング１３Ａ，１３Ｂが紙受け位置から紙落下位置に共に移動される。操作者が用紙収容部３７の前面側及び上面側の解放部分を利用して内部の積載された用紙３を取り出す。そして、操作者が、図２６（ｃ）に示すように、前端面フェンス２６を解放位置から規制位置に移動すると、カバーオープンスイッチがこれを検知して左右のウイングモータ１５が駆動して一対のガイドウイング１３Ａ，１３Ｂが紙落下位置から紙受け位置に共に移動され、これで完了する。
【００４３】
以上、この用紙排出装置１０では、用紙収容部３７内に積載された用紙３の針３６の位置が重ならないことから針３６の位置で極端に積載高さが他の部分に比べて高くならないため、針３６で留められた用紙３の積載量を本来の積載量に近づけることができる。つまり、図２８，図２９の従来例のように用紙３が同じ位置に載置される場合に比べて図２３，図２４のように用紙３がシフト位置に載置される場合の方が針３６の位置が重ならないため、積載された用紙３の高さを低く（Ｈ１＞Ｈ２）でき、用紙収容部３７に多部数の用紙３を収容できる。さらに、用紙収容部３７内に積載される用紙３の排出位置は同じではないがシフトした状態で積載されるため、用紙収容部３７内から取り出した後の取り扱いもあまり悪くない。
【００４４】
また、前記実施形態では、図２３，図２４に示すように、用紙３を１部ずつ交互にシフトして積載したが、所定部数毎に交互にシフトして載置するようにしても良い。
【００４５】
尚、用紙収容部３７内に積載する用紙３の積載量が少ない等の場合には、後端揃え部材２７を用紙３の奇数・偶数に関わらず常に第１落下規制位置と第２落下規制位置とのいずれかに移動して用紙３を落下させても良い。このようにした場合、用紙収容部３７には、図２８，図２９の従来例に示すように、針留めされた用紙３が前後方向にシフトしない同じ位置で載置されることになる。
【００４６】
また、前記実施形態では、用紙留め器具としてステープラ３５を設けたので、左右及び前後方向に紙揃えされた用紙３に針留めできるため、紙揃えされた状態で針留めされた用紙３を自動的に得ることができる。尚、用紙留め器具としては、重畳された用紙３の所定位置に穴を空け、この穴に糸などを通して綴じる用紙綴じ機器や、重畳された用紙３をクリップ留めするクリッピング機器などを設けても良い。
【００４７】
さらに、前記実施形態によれば、本発明の紙揃え装置１０を丁合装置１の排紙台６に装着したが、丁合装置１以外の紙揃えし、且つ、用紙留めする必要のある装置に装着できる。また、本発明の用紙排出装置１０は丁合装置１の排紙台６に着脱自在に設けられているが、丁合装置１をも含めて装置の排紙台そのものに固定状態で適用しても良いことは勿論である。
【００４８】
【発明の効果】
以上説明したように、本発明によれば、留め部品で留められた用紙の用紙収容部への排出位置をシフトする排出位置シフト手段を設けたので、積載された用紙の留め部品の位置が重ならないことから留め部品の位置で極端に積載高さが他の部分に比べて高くならず、また、用紙収容部内に積載される用紙の排出位置は同じではないがシフトした状態で積載される。従って、留め部品で留められた用紙の積載量を本来の積載量に近づけることができ、且つ、用紙収容部内から取り出した後の取り扱いも良好となる。
【図面の簡単な説明】
【図１】本発明の一実施形態を示し、丁合装置とこの排紙台の位置に設けられた用紙排出装置との斜視図である。
【図２】本発明の一実施形態を示し、図１の要部の拡大斜視図である。
【図３】本発明の一実施形態を示し、紙受け位置である用紙排出装置の斜視図である。
【図４】本発明の一実施形態を示し、左右ガイドウイングが紙揃え位置である用紙排出装置の斜視図である。
【図５】本発明の一実施形態を示し、後端揃え部材が紙揃え位置である用紙排出装置の斜視図である。
【図６】本発明の一実施形態を示し、左右ガイドウイングが紙落下位置、後端揃え部材が第１落下規制位置である用紙排出装置の斜視図である。
【図７】本発明の一実施形態を示し、ガイドウイングの斜視図である。
【図８】本発明の一実施形態を示し、（ａ）はウイング揺動機構を説明する概念図、（ｂ）はウイング揺動機構の側面図である。
【図９】本発明の一実施形態を示し、紙揃え動作のフローチャートである。
【図１０】本発明の一実施形態を示し、紙揃え動作のタイミングチャートである。
【図１１】本発明の一実施形態を示し、一対のガイドウイングが紙受け位置、後端揃え部材が待機位置にあって、用紙が排出された状態を示す用紙排出装置の概略平面図である。
【図１２】本発明の一実施形態を示し、一対のガイドウイングが紙受け位置、後端揃え部材が待機位置にあって、左のガイドウイングが紙受け位置から左右紙揃え位置に移動する動作を示す概略平面図である。
【図１３】本発明の一実施形態を示し、左のガイドウイングが紙受け位置から左右紙揃え位置に移動する際に、用紙に作用する外力を示す概略平面図である。
【図１４】本発明の一実施形態を示し、後端揃え部材が待機位置から前後紙揃え位置に移動する動作を示す概略平面図である。
【図１５】本発明の一実施形態を示し、後端揃え部材が待機位置から前後紙揃え位置に移動する際に、用紙に作用する外力を示す概略平面図である。
【図１６】本発明の一実施形態を示し、後端揃え部材が前後紙揃え位置から第１落下規制位置又は第２落下規制位置に移動する動作を示す概略平面図である。
【図１７】本発明の一実施形態を示し、（ａ）は後端揃え部材が第１落下規制位置に位置する状態を示す概略平面図、（ｂ）は後端揃え部材が第２落下規制位置に位置する状態を示す概略平面図である。
【図１８】本発明の一実施形態を示し、一対のガイドウイングが左右紙揃え位置から紙落下位置に移動する動作を示す概略平面図である。
【図１９】本発明の一実施形態を示し、（ａ）は後端揃え部材が第１落下規制位置にあって、一対のガイドウイングが左右紙揃え位置から紙落下位置に移動する際に、用紙に作用する外力を示す概略平面図、（ｂ）は後端揃え部材が第２落下規制位置にあって、一対のガイドウイングが左右紙揃え位置から紙落下位置に移動する際に、用紙に作用する外力を示す概略平面図である。
【図２０】本発明の一実施形態を示し、（ａ）は後端揃え部材が第１落下規制位置にあって、用紙が後端揃え部材に干渉されて落下する位置を示す概略平面図、（ｂ）は後端揃え部材が第２落下規制位置にあって、用紙が後端揃え部材に干渉されて落下する位置を示す概略平面図である。
【図２１】本発明の一実施形態を示し、一対のガイドウイングが紙落下位置から紙受け位置、後端揃え部材が第１又は第２落下規制位置から待機位置にそれぞれ移動する動作を示す概略平面図である。
【図２２】本発明の一実施形態を示し、一対のガイドウイングが紙受け位置に、後端揃え部材が待機位置に位置する状態を示す概略平面図である。
【図２３】本発明の一実施形態を示し、後端揃え部材で落下位置を１部ずつシフトさせた場合の用紙収容部での積載状態を示す図である。
【図２４】本発明の一実施形態を示し、後端揃え部材で落下位置を１部ずつシフトさせた場合の用紙収容部での積載高さを示す図である。
【図２５】本発明の一実施形態を示し、用紙取り出し動作のタイミングチャートである。
【図２６】本発明の一実施形態を示し、（ａ）、（ｂ）、（ｃ）はそれぞれ用紙取り出し動作時の一対のガイドウイング及び後端揃え部材の一過程を示す概略平面図である。
【図２７】従来例の用紙排出装置が装着された丁合装置の全体斜視図である。
【図２８】従来例において、用紙収容部内に積載される用紙の積載状態を示す図である。
【図２９】従来例において、用紙収容部での用紙の積載状態を示す図である。
【符号の説明】
１  丁合装置
６  排紙台
１０  用紙排出装置
１３Ａ  右のガイドウイング
１３Ｂ  左のガイドウイング
２５  前後紙揃え手段
２６  前端面フェンス
２７  後端揃え部材
３５  ステープラ（用紙留め器具）
３６  針（留め部品）
３７  用紙収容部
Ａ  紙揃え手段
Ｂ  排出位置シフト手段
Ｔ  用紙排出方向
Ｓ  用紙排出方向の直交方向
【図１】
0003764365.tif 000002
【図２】
0003764365.tif 000003
【図３】
0003764365.tif 000004
【図４】
0003764365.tif 000005
【図５】
0003764365.tif 000006
【図６】
0003764365.tif 000007
【図７】
0003764365.tif 000008
【図８】
0003764365.tif 000009
【図９】
0003764365.tif 000010
【図１０】
0003764365.tif 000011
【図１１】
0003764365.tif 000012
【図１２】
0003764365.tif 000013
【図１３】
0003764365.tif 000014
【図１４】
0003764365.tif 000015
【図１５】
0003764365.tif 000016
【図１６】
0003764365.tif 000017
【図１７】
0003764365.tif 000018
【図１８】
0003764365.tif 000019
【図１９】
0003764365.tif 000020
【図２０】
0003764365.tif 000021
【図２１】
0003764365.tif 000022
【図２２】
0003764365.tif 000023
【図２３】
0003764365.tif 000024
【図２４】
0003764365.tif 000025
【図２５】
0003764365.tif 000026
【図２６】
0003764365.tif 000027
【図２７】
0003764365.tif 000028
【図２８】
0003764365.tif 000029
【図２９】
0003764365.tif 000030